(57)【要約】【課題】ガスメータの構成要素を、液化石油ガスＬＰＧ圧力容器２１からのガスを供給する遮断弁１にも共用化し、量産を容易にする。【解決手段】遮断弁１の弁箱２に、弁座部材３と開閉駆動手段４と復帰手段５とを、個別的に装着する。開閉駆動手段４は、永久磁石片４５の磁気吸引力によって弁棒４２を吸着して弁体４１を弁座部材３から離脱した開弁状態に保ち、また電磁コイル４７の励磁によって、ばね４６は、そのばね力によって弁体４１を弁座部材３に着座して閉弁状態に保つ。復帰手段５は、ばね４６のばね力に抗して押圧して永久磁石片４５に弁体４１、したがって弁棒４２の一端部を磁気吸着して開弁状態に復帰する。弁箱２の取付け孔６６から弁座部材３を挿入して弁箱２に装着し、次に開閉駆動手段の弁体を取付け孔６６から弁箱２の通路１５，１６に挿入し、固定座８に、取付け部材４４を、ボルト６３によって固定する。復帰手段５は、弁箱２、弁座部材３および開閉駆動手段４とは反対側（図１の下方）から装着される。【選択図】      図１
2004245353.tif 000002
【特許請求の範囲】
【請求項１】
弁箱に、
弁座部材と、
弁体を有し、永久磁石片の磁気吸引力によって弁体を弁座部材から離脱した状態に保ち、電磁コイルが励磁されることによって、永久磁石片の磁気吸引力を打消して、ばねのばね力によって、弁体を弁座部材に着座した閉弁状態に保つ開閉駆動手段と、
弁座部材に着座している弁体を、ばねのばね力に抗して押圧し、永久磁石片に磁気吸着させて開弁状態に復帰する復帰手段とを、
個別的に装着することを特徴とする遮断弁。
【請求項２】
（ａ）流体の入口と出口とを有し、入口から出口を連通する通路が形成される弁箱と、
（ｂ）弁箱に、前記通路の途中で、装着される弁座部材と、
（ｃ）開閉駆動手段であって、
弁座部材に着座、離脱する弁体と、
一端部が弁体に設けられる弁棒と、
弁箱に装着される取付け部材と、
取付け部材に設けられ、弁棒の他端部に磁気吸着可能である永久磁石片と、
弁棒の他端部と永久磁石片とを磁気吸引力に抗して離脱する方向のばね力を与えるばねと、
励磁されることによって、弁棒の他端部と永久磁石片との磁気吸引力を打消す磁気を発生する電磁コイルとを有する開閉駆動手段と、
（ｄ）弁箱に装着され、弁座部材に着座している弁体を、ばねのばね力に抗して押圧し、弁棒の他端部を、永久磁石片に磁気吸着されて開弁状態に復帰する復帰手段とを含むことを特徴とする遮断弁。
【請求項３】
取付け部材は、弁体の最外周部よりも外方で、弁箱に固定される固定部を有し、
弁箱には、
弁体を挿通可能な取付け孔が形成され、
この取付け孔の外周部付近に、前記固定部を固定する固定座が形成されることを特徴とする請求項２記載の遮断弁。
【請求項４】
前記取付け孔は、弁座部材をも、挿通可能に形成されることを特徴とする請求項３記載の遮断弁。
【請求項５】
復帰手段は、開閉駆動手段と弁座部材とに関して、弁箱の反対側から装着されることを特徴とする請求項１〜４のうちの１つに記載の遮断弁。
【請求項６】
復帰手段は、
弁棒の前記他端部に当接可能な一端部を有する押圧操作棒と、
押圧操作棒を、弁棒の前記他端部から遠去かる方向にばね力を与える復帰用ばねと、
押圧操作棒の他端部に設けられ、押圧操作棒の軸線と同軸に角変位自在である表示体と、
押圧操作棒の押圧操作および復帰用ばねによる軸線方向の直線移動のたびに、表示体を、１回転未満の角度だけ、角変位する表示体駆動手段とを含むことを特徴とする請求項１〜５のうちの１つに記載の遮断弁。
【請求項７】
弁座部材と、開閉駆動手段と、復帰手段とは、
前記弁箱だけでなく、
ガス燃料の流量を計測するガスメータにも、装着可能であることを特徴とする請求項１〜６のうちの１つに記載の遮断弁。
【発明の詳細な説明】
【０００１】
【発明の属する技術分野】
本発明は、たとえば地震発生時などに、都市ガスなどの流体の供給を緊急に遮断するために好適する遮断弁に関する。
【０００２】
【従来の技術】
都市ガスを計量するいわゆるマイコンメータと呼ばれるガスメータは、地震発生時、その地震が発生したことを検出してガスの供給を遮断したままになる遮断弁を有し、これによって地震発生の災害時、生ガスが供給し続けるという危険が回避される。液化石油ガスＬＰＧを貯留した複数本の圧力容器から、複数の各家庭にガスを供給する液化石油ガス基地でもまた、地震発生時、ガスの供給を遮断するために遮断弁が用いられる。したがってガスメータの構成要素と、液化石油ガス基地における遮断弁の構成要素とを、共用化し、大量生産をさらに容易にすることが望まれる。
【０００３】
或先行技術（特許文献１参照）では、ガスメータの弁箱自体の一部が弁座を構成し、したがってこのようなガスメータの個別的な構成要素を、たとえば液化石油ガス基地における遮断弁の構成要素として共用化することはできない。
【０００４】
【特許文献１】
特開平８−４２７２９
【０００５】
【発明が解決しようとする課題】
本発明の目的は、遮断弁を構成する複数の構成要素を、たとえばガスメータなどとともに共用化することが容易である遮断弁を提供することである。
【０００６】
【課題を解決するための手段】
本発明は、弁箱に、
弁座部材と、
弁体を有し、永久磁石片の磁気吸引力によって弁体を弁座部材から離脱した状態に保ち、電磁コイルが励磁されることによって、永久磁石片の磁気吸引力を打消して、ばねのばね力によって、弁体を弁座部材に着座した閉弁状態に保つ開閉駆動手段と、
弁座部材に着座している弁体を、ばねのばね力に抗して押圧し、永久磁石片に磁気吸着させて開弁状態に復帰する復帰手段とを、
個別的に装着することを特徴とする遮断弁である。
【０００７】
また本発明は、（ａ）流体の入口と出口とを有し、入口から出口を連通する通路が形成される弁箱と、
（ｂ）弁箱に、前記通路の途中で、装着される弁座部材と、
（ｃ）開閉駆動手段であって、
弁座部材に着座、離脱する弁体と、
一端部が弁体に設けられる弁棒と、
弁箱に装着される取付け部材と、
取付け部材に設けられ、弁棒の他端部に磁気吸着可能である永久磁石片と、
弁棒の他端部と永久磁石片とを磁気吸引力に抗して離脱する方向のばね力を与えるばねと、
励磁されることによって、弁棒の他端部と永久磁石片との磁気吸引力を打消す磁気を発生する電磁コイルとを有する開閉駆動手段と、
（ｄ）弁箱に装着され、弁座部材に着座している弁体を、ばねのばね力に抗して押圧し、弁棒の他端部を、永久磁石片に磁気吸着されて開弁状態に復帰する復帰手段とを含むことを特徴とする遮断弁である。
【０００８】
本発明に従えば、遮断弁を構成する構成要素である弁座部材と開閉駆動手段と復帰手段とを、個別的に弁箱にそれぞれ装着し、たとえば着脱可能に装着する。こうして弁座部材と開閉駆動手段と復帰手段とは、個別的に製造されることができ、これらの弁座部材と開閉行動手段と復帰手段とを、本件遮断弁のために用いる代りに、既存のガスメータに用いることも可能であり、またガスメータに用いられている弁座部材と開閉駆動手段と復帰手段とを、本件遮断弁を構成するために弁箱にそれぞれ装着して共用化することができる。
【０００９】
地震などが発生していない通常時、開閉駆動手段は、弁体をばねのばね力に抗して、永久磁石片には、その磁気吸引力によって、弁棒の前記他端部が磁気吸着され、これによって弁体を弁座部材から離脱した状態に保つ。こうして開弁状態に保たれた状態で、液化石油ガスＬＰＧまたは都市ガスなどのガスまたは液体などの流体は、弁座部材の弁孔を経て流れる。
【００１０】
地震発生時、電磁コイルが励磁され、これによって永久磁石片の磁気吸引力が打消される。したがって永久磁石片と弁棒の前記他端部との磁気吸着が解除され、弁体はばねのばね力によって、弁座部材に着座した状態に保たれる。こうして弁座部材の弁孔は、弁体によって閉じられる。そのため地震発生時、閉弁状態が達成され、ガスなどの流体が流れることが停止され、安全性が確保される。
【００１１】
閉弁状態になっている遮断弁において、復帰手段を操作し、弁体を、ばねのばね力に抗して押圧して、永久磁石片の磁気吸引力によって弁棒の前記他端部を永久磁石片に磁気吸着し、弁体を弁座から離脱した状態に保って、復帰する。
【００１２】
また本発明は、取付け部材は、弁体の最外周部よりも外方で、弁箱に固定される固定部を有し、
弁箱には、
弁体を挿通可能な取付け孔が形成され、
この取付け孔の外周部付近に、前記固定部を固定する固定座が形成されることを特徴とする。
【００１３】
本発明に従えば、開閉駆動手段の取付け部材の固定部は、弁箱の固定座に、たとえばボルトなどを用いて固定するためのものであって、弁体の最外周部よりも外方に存在し、すなわち弁体が、たとえば円板状であるとき、固定部は、その弁体の外形よりも半径方向外方の位置に設けられる。したがって弁箱に形成された取付け孔に弁体が挿通されて弁箱内に形成されている流路に配置された状態で、弁箱の外方から、固定部をボルトなどで固定座に固定することができる。そのため作業性が容易であるとともに、このことによってたとえばガスメータとともに開閉駆動手段を共用化することが容易に可能である。
【００１４】
また本発明は、前記取付け孔は、弁座部材をも、挿通可能に形成されることを特徴とする。
【００１５】
本発明に従えば、弁箱の取付け孔には、前述の弁体だけでなく弁座部材をも挿通可能である。したがって弁箱に先ず、弁座部材を装着し、次に、開閉駆動手段の取付け部材を弁箱に取付けることができる。取付け孔から弁座部材を挿通して弁箱に取付けることができるので、たとえば前述のようにガスメータとに、弁座部材を共用化することが容易に可能である。
【００１６】
また本発明は、復帰手段は、開閉駆動手段と弁座部材とに関して、弁箱の反対側から装着されることを特徴とする。
【００１７】
本発明に従えば、復帰手段を、開閉駆動手段および弁座部材との装着方向とは逆方向から、弁箱に装着することができる。そのため装着作業が容易であるとともに、前述のようにガスメータなどの復帰手段との共用化が容易である。
【００１８】
また本発明は、復帰手段は、
弁棒の前記他端部に当接可能な一端部を有する押圧操作棒と、
押圧操作棒を、弁棒の前記他端部から遠去かる方向にばね力を与える復帰用ばねと、
押圧操作棒の他端部に設けられ、押圧操作棒の軸線と同軸に角変位自在である表示体と、
押圧操作棒の押圧操作および復帰用ばねによる軸線方向の直線移動のたびに、表示体を、１回転未満の角度だけ、角変位する表示体駆動手段とを含むことを特徴とする。
【００１９】
本発明に従えば、地震発生時に弁体の弁座部材への着座によって、復帰手段の押圧操作棒の一端部が、弁棒の前記他端部によって軸線方向に直線変位される。そのため表示体は、表示体駆動手段によって１回転未満の角度、たとえば６０°だけ、角変位され、これによって閉弁状態であることが表示される。閉弁状態となっている遮断弁を、開弁状態に復帰するにあたり、作業者が押圧操作棒の他端部を、復帰用ばねのばね力に抗して押圧する。これによって遮断弁の弁体、したがって弁棒の前記他端部を、遮断弁のばね力に抗して押込み、これによって弁棒の前記一端部を永久磁石片に磁気吸着して開弁状態に保つことができる。このとき表示体駆動手段は、表示体を開弁状態から閉弁状態に切換わるときとは逆方向に、または同一方向に１回転未満の角度だけ、角変位し、こうして開弁状態に復帰したことが、表示体によって表示される。表示体駆動手段は、このような押圧操作棒の軸線方向に沿う直線移動の往復運動を、表示体の角変位運動に変換する働きを果たす。
【００２０】
また本発明は、弁座部材と、開閉駆動手段と、復帰手段とは、
前記弁箱だけでなく、
ガス燃料の流量を計測するガスメータにも、装着可能であることを特徴とする。
【００２１】
本発明に従えば、たとえば都市ガスまたは液化石油ガスなどのガス燃料の流量を計測して計量するガスメータに用いられている弁座部材と開閉駆動手段と復帰手段とを、本件遮断弁に流用して共用化を図ることができる。このような弁座部材と開閉駆動手段と復帰手段とを含む構成要素の共用化を図ることによって、生産性を高めることができ、安価に実現することができるようになる。
【００２２】
【発明の実施の形態】
図１は、本発明の実施の一形態の遮断弁１の縦断面図である。この遮断弁１は基本的に、弁箱２と、弁座部材３と、開閉駆動手段４と、復帰手段５とを含む。
【００２３】
図２は、図１に示される遮断弁１の平面図である。図２の切断面線Ｂ−Ｂから見た断面は、前述の図１である。開閉駆動手段４を弁箱２の外方で囲むキャップ６は、取外し可能なボルト７によって弁箱２の固定座８に固定される。
【００２４】
図３は遮断弁１の側面図であり、図４は図３の切断面線Ａ−Ａから見た断面図である。さらに図５は遮断弁１の正面図であり、図６は遮断弁１の底面図である。これらの図面を参照して、弁箱２には、たとえば液化石油ガスＬＰＧなどの流体であるガスの入口１１と出口１２とが形成され、管接続のためにフランジ１３，１４がそれぞれ設けられる。弁箱２内には、入口１１と出口１２とを連通する通路１５，１６が形成され、これらの通路１５，１６間に隔壁である仕切部材１７が形成される。
【００２５】
図７は、遮断弁１が備えられる液化石油ガス供給装置１９の基地の全体の構成を簡略化して示す図である。複数の圧力容器２１には、液化石油ガスＬＰＧが供給され、共通に接続された供給管２２から遮断弁１を経て、各家庭２３に、各家庭２３毎のガスメータ２４を介して供給される。遮断弁１は、地震発生時に、その地震発生を検出する地震検出装置２５からの電力供給用電線２６を介する電力によって励磁され、緊急遮断される。これによって地震による災害発生時、生ガスが不所望に供給され続ける恐れはなく、安全性が確保される。遮断弁１と地震検出装置２５と電力供給用電線２６とは、遮断弁装置２７を構成する。
【００２６】
図８は、弁座部材３と開閉駆動手段４とを示す断面図である。弁座部材３は、たとえば真鍮などの金属などの材料から成り、全体の形状はほぼ環状に形成され、弁孔３１を有する。弁孔３１は、図８の上下方向である軸線を中心とする内径が一様な円形断面を有する。弁座部材３は、開閉駆動手段４に臨む着座部３２と、着座部３２に連なる連続部３３と、大径部３４と、段差部３５と、この段差部３５を介して大径部３４に連なる小径部３６とを有する。仕切部材１７には、弁座取付け孔３８が形成される。弁座取付け孔３８は、弁座部材３の台形部３４は、段差部３５および小径部３６に対応した内周面を有し、弁座部材３が着脱交換可能に、装着される。
【００２７】
図９は、開閉駆動手段４の平面図である。この開閉駆動手段４は基本的に、弁座部材３の着座部３２に着座、離脱する弁体４１と、弁棒４２と、ヨーク部材４３と、取付け部材４４と、弁体４１を弁座部材３に向けてばね力を与えるコイルばね４６と、電磁コイル４７とを含む。弁体４１は、図８の上下の補強部材４８，４９によって挟持される。弁体４１は、ゴムまたは合成樹脂などの弾発性を有する材料から成り、弁座部材３の着座部３２に着座した状態で閉弁状態となり、図８に示されるように着座部３２から図８の上方に間隔をあけて離脱している開弁状態に保たれることができる。弁棒４２の一端部５１は弁体４１に連結されて設けられる。弁棒４２の他端部５２は、ヨーク片５３を介して永久磁石片４５に、その磁気吸引力によって磁気吸着されることができる。前記他端部５２がヨーク片５３に当接して永久磁石片４５と磁気吸着する磁気吸引力は、ばね４６のばね力よりも大きく、したがってこのばね力に抗して、前記他端部５２がヨーク片５３に磁気吸着して保たれることができる。
【００２８】
ヨーク部材４３は、その全体の形状が逆Ｕ字状であり、一対の立上り部５５，５６と、それらの立上り部５５，５６の上端部を連結する連結部５７と、各立上り部５５，５６の下部付近で外側方に屈曲して連なる取付け片５８，５９とを有する。これらの取付け片５８，５９は、ボルト６１によって、取付け部材４４に固定される。この取付け部材４４は、固定部６２を有し、ボルト６３によって、弁箱２の固定座８のねじ孔６４に着脱可能に固定される。
【００２９】
弁箱２の固定座８には、取付け孔６６が形成される。この取付け孔６６の内径Ｄ６６は、弁体４１の外径Ｄ４１よりも大きく、また弁座部材３の外径Ｄ３よりも大きい（Ｄ４１＜Ｄ６６、Ｄ３＜Ｄ６６）。こうして取付け孔６６には、弁座部材３を挿通することができ、また弁体４１を挿通することができ、こうして弁座部材３および開閉駆動手段４を、弁箱２に装着することができ、また取外して交換することができる。取付け部材４４の固定部６２は、取付け孔６６の内径Ｄ６６よりも外方に延びる大きさ、寸法形状を有する。
【００３０】
電磁コイル４７は、ボビン６７に設けられ、取付け部材４４の案内部６８に嵌め込まれて固定される。永久磁石片４５はヨーク部材４３の連結部５７の内面に固定され、この永久磁石片４５には、ヨーク片５３が固定される。永久磁石片４５は、弁棒４２の軸線方向に各磁極が磁化されて構成される。弁棒４２、ヨーク部材４３、取付け部材４４およびヨーク片５３は、鉄などの強磁性材料から成り、磁路を形成する。前述の図１および図４ならびに図８に示されるように、弁棒４２の端部５２がヨーク片５３を介して永久磁石片４５に磁気吸着している状態で、ばね４６は磁気吸引力に抗して圧縮されており、弁体４１は弁座部材３から離脱し、開弁状態に保たれている。
【００３１】
地震発生時、電磁コイル４７に電力が供給されて励磁されると、その電磁コイル４７は、永久磁石片４５の弁棒４２における端部５２との磁気吸引力を打消す方向の磁界を発生する。これによって弁棒４２の端部５２とヨーク片５３との磁気吸引力が、ばね４６のばね力よりも小さくなり、前記端部５２は、ヨーク片５３から離脱し、ばね４６のばね力によって弁体４１は弁座部材３の着座部３２に弾発的に押付けられて着座し、閉弁状態が保たれる。したがって地震発生時、弁体４１が弁座部材３に着座し、閉弁状態が前述のように保たれ、液化石油ガスなどのガス燃料の供給が遮断される。
【００３２】
図１０は、復帰手段５の断面図である。復帰手段５は基本的に、復帰手段本体７１内で長手軸線方向に図１０の上下に往復移動可能であり、しかもその軸線まわりに角変位して回転することができる押圧操作棒７２と、この押圧操作棒７２を、弁棒４２の端部５１、したがって弁体４１から遠去かる方向（図１０の下方）にばね力を与える復帰用ばね７３と、押圧操作棒７２の端部に設けられ、押圧操作棒７２の軸線と同軸に角変位自在である表示体７４と、この表示体７４を、押圧操作棒７２の軸線方向の直線移動によって表示体７４を角変位する表示体駆動手段７５とを含む。復帰手段本体７１にはおねじ７６が刻設され、弁座部材３と開閉駆動手段４とに関して弁箱２の反対側（図１０の下方）から弁箱２の一部７７に形成されためねじに着脱交換可能に気密に装着される。
【００３３】
表示体駆動手段７５は、有底筒体７９を有する。この筒体７９は、直円筒状の筒部８１と、弁棒４２の端部５１に当接することができる頂部８２とを有する。筒部８１には、長手軸線方向に平行に延びる案内長孔８３と、カム孔８４とが周方向にずれて形成される。
【００３４】
図１１は、筒体７９の周方向展開図である。カム孔８４は、筒部８１の長手軸線方向に平行であって、かつ周方向にずれて配置される長孔部８５，８６と、これらの長孔部８５，８６に連なり筒部８１の軸線に対して傾斜した傾斜部８７とを有する。案内長孔８３には、押圧操作棒７２の一端部に固定されたピン８８が緩やかに嵌り込む。カム孔８４には、復帰手段本体７１に固定されたホロアであるピン８９が緩やかに嵌り込む。熱体７９は、復帰手段本体７１と押圧操作棒７２の共通な軸線と同軸であり、かつその軸線まわりに相互に角変位可能である。
【００３５】
押圧操作棒７２の他端部には、操作体９１が設けられる。この操作体８１には、押圧操作棒７２が挿通する復帰用ばね７３を収納して、その復帰用ばね７３の端部を受ける。
【００３６】
図１２は、操作体９１とその付近の一部の分解斜視図である。操作体９１の外周部には、その軸線に沿って延びる案内溝９２が形成される。この案内溝９２には、復帰手段本体７１に取外し可能に螺着された回り止めピン９３が嵌り込み、図１０の状態で操作体９１が復帰用ばね７３のばね力によって図１０の下方に復帰手段本体７１から離脱することを防ぐために案内溝９２の端部に当接する抜け止めの働きを果たす。復帰用ばね７３はまた、復帰手段本体７１に受けられる。
【００３７】
表示体７４は、周方向にたとえば角度６０°ずつ分断された表示部９５を有し、その中央の連結部９６は、有底帽状表示基部９７の挿通孔９８を緩かに挿通し、押圧操作棒７２の端部に固定された取付け部９９の取付け孔１０１に嵌り込んで固定される。こうして表示体７４は、押圧操作棒７２とともに、その軸線まわりに角変位することができる。表示体７４は、遮断弁の開弁状態に対応してたとえば緑色に表示され、表示基部９７は遮断弁の閉弁状態に対応して赤色に形成される。
【００３８】
操作体９１の端部には、カバー片１０２が固定される。このカバー片１０２は、表示体７４の表示部９５に対応して周方向に角度６０°をあけてカバー部１０３が形成され、これらのカバー部１０３間には、切欠かれた表示領域１０４が形成される。
【００３９】
地震発生によって電磁コイル４７が励磁され、ばね４６のばね力によって弁棒４２および弁体４１が下降されるとき、弁棒４２の端部５１は、筒体７９の頂部８２の上面を下方に押圧する。これによって筒体７９が下方に変位し、ピン８９は、図１１の参照符８９ｂの位置から矢符１０６の逆方向に傾斜部８７を移動し、図１１の参照符８９の位置に戻る。これによって筒体８９は矢符１０７の逆方向に角変位して案内長孔８３内の参照符８８ｂで示されるピン８８を、その案内長孔８３の図１１における上端部に戻す。したがって押圧操作棒７２がその軸線まわりに角変位され、表示体７４の表示部９５は、図１２の参照符９５ｂの位置からカバー片１０２のカバー部１０３に重なった位置９５ａのように戻る。したがって表示用切欠き１０４には、表示基部９７の底部が露出し、赤色が表示されることになり、閉弁状態になったことが外部から容易に知ることができる。この地震発生時、弁体４１が弁座部材３に着座して閉弁状態になったとき、復帰手段５は、図１０に示されるとおりとなっており、ピン８８は、案内長孔８３の図１０および図１１における上端部に存在し、このときもう１つのピン８９は、カム孔８４の傾斜部８７寄りに位置し、これによって表示体７４の表示部９５は、カバー片１０２のカバー部１０３に、参照符９５ａで示されるように重なり、したがって表示用切欠き１０４からは、表示基部９７の赤色底部が表示される。カバー片１０２は、たとえば白色に形成される。操作体９１の端部には、カバー片１０２を外方から覆って収納する透明合成樹脂製有底筒状の操作カバー体１０５が、固定される。この操作カバー体１０５の頂部１０６は、遮断弁１の閉弁状態から開弁状態に復帰する際に、押圧操作される。作業者は、表示用切欠き１０４から表示基部９７の赤色が表示されることによって、本件遮断弁１が閉弁状態であることを、容易に知ることができる。この閉弁状態では、筒体７９の頂部８２は、弁棒４２の端部５１によって図１０の下方に押圧されて変位された状態となっている。
【００４０】
遮断弁１を開弁状態に復帰するには、作業者はカバー筒体１０５の頂部１０６を図１０の上方に、ばね７３のばね力に抗して押圧操作する。
【００４１】
操作カバー体１０５の頂部１０６をばね７３のばね力に抗して図１０の上方に押圧することによって、押圧操作棒７２の上端部は、筒体７９の頂部８２を図１０の上方に押圧し、この頂部８２は弁棒４２の端部５１に当接してばね４６のばね力に抗し、弁棒４２の端部５２がヨーク片５３を介して永久磁石片４５に磁気吸着するように当接させる。この押圧操作部７２が図１０の上方に移動するとき、筒体７９もまた図１０の上方に変位し、これによってピン８８は案内長孔８３を図１１の下方に移動し、開弁状態では参照符８８ｂの位置に到達する。ピン８９は、カム孔８４内で、長孔部８５から、押圧操作棒７２および筒体８９の図１０における上方への変位に伴い、傾斜部８７を矢符１０６のように移動し、参照符８９ｂで示されるようにもう１つの長孔部８６内で傾斜部８７寄りの位置に開弁状態で到達する。ピン８９が傾斜部８７を矢符１０６のように移動するとき、筒体７９はその軸線まわりに角変位し、これによって筒体７９はピン８８、したがって押圧操作棒７２をその軸線まわりに矢符１０７で示されるように角変位する。この押圧操作棒７２の角変位に伴って、表示体７４もまた角変位し、これによって緑色表示部９５は、カバー片１０２の表示を切欠き１０４に、参照符９５ｂで示されるように角変位して移動する。こうして表示用切欠き１０４からは、緑色表示部９５が表示され、遮断弁１の開弁状態に復帰したことが表示される。筒体７９は比較的軽量であり、弁体４１が弁座部材３から上方に離脱して開弁状態となっているとき、ピン８９は、図１１の参照符８９ｂで示されるように、長孔部８６と傾斜部８７との境界付近で係止したままとなり、筒体７９がその自重で下降することはなく、これによって筒体８９の頂部８２の下面と押圧操作棒７２の上端部とは、押圧操作棒７２が復帰用ばね７３によって図１０のように復帰した状態で、図１０の上下に離間したままである。こうして前述のカバー片１０２の表示用切欠き１０４には、表示体７４の表示部９５が緑色で表示されたままに保たれる。
【００４２】
復帰手段本体７１に弁箱２の外方で刻設されたおねじ１０８には、透明合成樹脂製有底保護カバー１０９が着脱可能に螺着される。
【００４３】
図１３は、本発明の実施の他の形態のガスメータ１１１を一部切欠いて示す斜視図である。ガスメータ１１１は、都市ガスの使用量を計量するために用いられる。ガスメータ１１１の入口１１２から供給されるガスは、ガスメータ本体１１４に構成された遮断弁１１３を経て、計量手段１１５に供給され、出口１１６から、ガス消費機器に供給される。計量されたガス量は、カウンタ１１７によって表示される。
【００４４】
図１４は、図１３に示されるガスメータ１１１の遮断弁１１３を示す簡略化した水平断面図である。ガスメータ１１１の遮断弁１１３では、前述の遮断弁１において用いられる弁座部材３と開閉駆動手段４と復帰手段５とが、ガスメータ本体４に着脱交換可能に装着される。このガスメータ本体１１４は、弁箱を構成する。
【００４５】
ガスメータ１１１に内蔵される電子回路１１８は、地震の発生を検出する感震器１１９と、この感震器１１９によって検出された地震波に応答して開閉駆動手段４の電磁コイルを励磁するための電力を供給する励磁駆動手段１２１とを含む。本発明では、このような弁座部材３と開閉駆動手段４と復帰手段５とを、ガスメータ１１１に使用するとともに、図１〜図１２に関連して前述した遮断弁１のために共用化することができる。
【００４６】
【発明の効果】
本発明によれば、弁座部材と開閉駆動手段と復帰手段とを、弁箱に個別的に装着することができるようにし、これによって弁座部材と開閉駆動手段と復帰手段を含む構成要素を、たとえばガスメータなどと共用化することができ、生産性が高まり、品質の向上が図られ、安価に遮断弁を実現することができるようになる。
【図面の簡単な説明】
【図１】本発明の実施の一形態の遮断弁１の縦断面図である。
【図２】図１に示される遮断弁１の平面図である。
【図３】遮断弁１の側面図である。
【図４】図３の切断面線Ａ−Ａから見た断面図である。
【図５】遮断弁１の正面図である。
【図６】遮断弁１の底面図である。
【図７】遮断弁１が備えられる液化石油ガス供給装置１９の基地の全体の構成を簡略化して示す図である。
【図８】弁座部材３と開閉駆動手段４とを示す断面図である。
【図９】開閉駆動手段４の平面図である。
【図１０】復帰手段５の断面図である。
【図１１】筒体７９の周方向展開図である。
【図１２】操作体９１とその付近の一部の分解斜視図である。
【図１３】本発明の実施の他の形態のガスメータ１１１を一部切欠いて示す斜視図である。
【図１４】図１３に示されるガスメータ１１１の遮断弁１１３を示す簡略化した水平断面図である。
【符号の説明】
１  遮断弁
２  弁箱
３  弁座部材
４  開閉駆動手段
５  復帰手段
８  固定座
１１  入口
１２  出口
１５，１６  通路
１７  仕切部材
３１  弁孔
４１  弁体
４２  弁棒
４４  取付け部材
４５  永久磁石片
４６  ばね
４７  電磁コイル
６６  取付け孔
７１  復帰手段本体
７２  押圧操作棒
７３  復帰用ばね
７４  表示体
７５  表示体駆動手段
【図１】
2004245353.tif 000003
【図２】
2004245353.tif 000004
【図３】
2004245353.tif 000005
【図４】
2004245353.tif 000006
【図５】
2004245353.tif 000007
【図６】
2004245353.tif 000008
【図７】
2004245353.tif 000009
【図８】
2004245353.tif 000010
【図９】
2004245353.tif 000011
【図１０】
2004245353.tif 000012
【図１１】
2004245353.tif 000013
【図１２】
2004245353.tif 000014
【図１３】
2004245353.tif 000015
【図１４】
2004245353.tif 000016